(57)【要約】【課題】  ある再生空間で得た聴感特性を、異なる再生空間で自動的に再現できる「オーディオ装置及びオーディオ装置の音質補正方法」を提供する。【解決手段】  車種Ｂの車に備えられたオーディオ装置１００Ａであって、車種Ａの車の車室内で音質を調整した際のＥＱ設定と、車種Ａに応じた車種ＩＤ「Ａ」とが保存された記録媒体１０から、ＥＱ設定と車種ＩＤ「Ａ」とを読み取るアクセス制御部５１と、アクセス制御部５１が読み取った車種ＩＤから、この車種ＩＤに対応する車種を識別する車種ＩＤ識別部５３と、車種ＩＤ識別部５３が識別した車種Ａに応じた音場特性から、車種Ｂに応じた音場特性を差分して差分音場特性を算出するとともに、この差分音場特性と、アクセス制御部５１が読み出したＥＱ設定とを合成して新たなＥＱ設定を算出するＥＱ設定算出部５４とを備えることを特徴とする。【選択図】  図１
2008078955.tif 000002
【特許請求の範囲】
【請求項１】
第２の再生空間に備えられたオーディオ装置であって、
第１の再生空間で音質を調整した際の第１のイコライザ特性と、前記第１の再生空間に応じた識別情報とが保存された記録媒体から、前記第１のイコライザ特性と前記識別情報とを読み取る読み取り手段と、
前記読み取り手段が読み取った前記識別情報から、該識別情報に対応する前記第１の再生空間を識別する識別手段と、
前記識別手段が識別した前記第１の再生空間に応じた第１の音場特性から、前記第２の再生空間に応じた第２の音場特性を差分して差分音場特性を算出するとともに、該差分音場特性と、前記読み取り手段が読み出した前記第１のイコライザ特性とを合成して第２のイコライザ特性を算出するイコライザ特性算出手段とを備えることを特徴とするオーディオ装置。
【請求項２】
第２の再生空間に備えられたオーディオ装置であって、
第１の再生空間で音質を調整した際の第１のイコライザ特性と、前記第１の再生空間に応じた第１の音場特性とからなるリファレンス特性が保存された記録媒体から、前記リファレンス特性を読み取る読み取り手段と、
前記読み取り手段が読み取った前記リファレンス特性から、前記第２の再生空間に応じた第２の音場特性を差分して第２のイコライザ特性を算出するイコライザ特性算出手段とを備えることを特徴とするオーディオ装置。
【請求項３】
前記音場特性は前記記録媒体に格納されており、前記読み取り手段が、前記記録媒体から前記音場特性を読み取るとともに、前記イコライザ特定算出手段が、前記読み取り手段が読み取った音場特性に基づいて第２のイコライザ特性を算出することを特徴とする請求項１または２記載のオーディオ装置。
【請求項４】
さらに前記音場特性を格納した記憶手段を備えるとともに、前記イコライザ特性算出手段が、前記記憶手段が格納している音場特性に基づいて第２のイコライザ特性を算出することを特徴とする請求項１または２記載のオーディオ装置。
【請求項５】
前記記録媒体が、携帯オーディオ機器が備える記録媒体であることを特徴とする請求項１から４いずれか１項記載のオーディオ装置。
【請求項６】
前記再生空間が、自動車の室内であることを特徴とする請求項１から５いずれか１項記載のオーディオ装置。
【請求項７】
第１の再生空間で音質を調整した際の第１のイコライザ特性と、前記第１の再生空間に対応する識別情報とを記録媒体に保存し、
第２の再生空間で前記記録媒体からデータを読み出す際に、前記識別情報から、該識別情報に対応する前記第１の再生空間を識別し、該第１の再生空間に応じた第１の音場特性から、前記第２の再生空間に応じた第２の音場特性を差分して差分音場特性を算出するとともに、該差分音場特性と前記第１のイコライザ特性とを合成して第２のイコライザ特性を算出し、該第２のイコライザ特性で音質の補正を行うことを特徴とするオーディオ装置の音質補正方法。
【請求項８】
第１の再生空間で音質を調整した際の第１のイコライザ特性と、前記第１の再生空間に応じた音場特性とからなるリファレンス特性を記録媒体に保存し、
第２の再生空間で前記記録媒体からデータを読み出す際に、前記リファレンス特性から、前記第２の再生空間に応じた第２の音場特性を差分して第２のイコライザ特性を算出し、該第２のイコライザ特性で音質の補正を行うことを特徴とするオーディオ装置の音質補正方法。
【発明の詳細な説明】
【技術分野】
【０００１】
本発明は、オーディオ装置及びオーディオ装置の音質補正方法に関し、特にある再生空間で得た聴感特性を、異なる再生空間で自動的に再現できるオーディオ装置及びオーディオ装置の音質補正方法に関する。
【背景技術】
【０００２】
近年、携帯オーディオ機器を使用しているユーザも増え、自動車の室内（以下、単に車室内とも称す）でオーディオ装置に携帯オーディオ機器を接続して利用することが多くなってきている。しかしながら、例えば携帯オーディオ機器でイヤホンやヘッドホン等を用いて音楽を聴く状況と、車室内でスピーカを介して音楽を聴く状況とでは状況が大きく異なっている。具体的には車室内ではリスニングポジションが左右のスピーカの位置から均等でなかったり、シートやガラスによって特定の周波数の音が吸収されたり、ロードノイズやエンジンノイズによって特定の周波数の音が聞こえにくくなったりしてしまう。これに対して、記録媒体に音楽情報とユーザのイコライザ（以下、単にＥＱとも称す）設定を同時に保存しておき、再生する側でＥＱ情報を参照してＥＱ設定を反映した再生をするオーディオ装置が提案されている（例えば特許文献１参照）。
【０００３】
【特許文献１】特開２００２−１３５９００号公報
【発明の開示】
【発明が解決しようとする課題】
【０００４】
ところで、車両では車種によって車室の大きさや形状や、車室を形成する各種部品の材質などが異なっている。すなわち車種毎に車室内の音場特性が異なることから、特許文献１の提案技術では、ある車種で最適化したＥＱ設定を保存した携帯オーディオ機器を他の車種で車載システムと接続して再生しようとした場合に、ユーザの耳に聴こえる最終的な聴感特性が、ユーザが希望するものと全く異なってしまうことがある。
【０００５】
そこで、本発明は上記の課題に鑑みてなされたものであり、ある再生空間で得た聴感特性を、異なる再生空間で自動的に再現できるオーディオ装置及びオーディオ装置の音質補正方法を提供することを目的とする。
【課題を解決するための手段】
【０００６】
上記課題を解決するために、本発明は、第２の再生空間に備えられたオーディオ装置であって、第１の再生空間で音質を調整した際の第１のイコライザ特性と、前記第１の再生空間に応じた識別情報とが保存された記録媒体から、前記第１のイコライザ特性と前記識別情報とを読み取る読み取り手段と、前記読み取り手段が読み取った前記識別情報から、該識別情報に対応する前記第１の再生空間を識別する識別手段と、前記識別手段が識別した前記第１の再生空間に応じた第１の音場特性から、前記第２の再生空間に応じた第２の音場特性を差分して差分音場特性を算出するとともに、該差分音場特性と、前記読み取り手段が読み出した前記第１のイコライザ特性とを合成して第２のイコライザ特性を算出するイコライザ特性算出手段とを備えることを特徴とする。本発明によれば、第２の再生空間で、第１の再生空間と同様の聴感特性を自動的に再現できる。これにより、ユーザに係る音質調整の手間を省くことができ、利便性が向上する。
【０００７】
また本発明は、第２の再生空間に備えられたオーディオ装置であって、第１の再生空間で音質を調整した際の第１のイコライザ特性と、前記第１の再生空間に応じた第１の音場特性とからなるリファレンス特性が保存された記録媒体から、前記リファレンス特性を読み取る読み取り手段と、前記読み取り手段が読み取った前記リファレンス特性から、前記第２の再生空間に応じた第２の音場特性を差分して第２のイコライザ特性を算出するイコライザ特性算出手段とを備えることを特徴とする。本発明によっても第２の再生空間で、第１の再生空間と同様の聴感特性を自動的に再現できる。
【０００８】
また本発明は、前記音場特性は前記記録媒体に格納されており、前記読み取り手段が、前記記録媒体から前記音場特性を読み取るとともに、前記イコライザ特定算出手段が、前記読み取り手段が読み取った音場特性に基づいて第２のイコライザ特性を算出してもよい。具体的には例えば本発明のように音場特性は記録媒体に格納しておくことができる。
【０００９】
また本発明は、さらに前記音場特性を格納した記憶手段を備えるとともに、前記イコライザ特性算出手段が、前記記憶手段が格納している音場特性に基づいて第２のイコライザ特性を算出してもよい。また例えば本発明のように、音場特性は記憶手段に格納しておくことができる。
【００１０】
また本発明は、前記記録媒体が、携帯オーディオ装置が備える記録媒体であってもよい。記録媒体は具体的には例えば、近年利用者が増加している携帯オーディオ機器が備える記録媒体であることが好適である。
【００１１】
また本発明は、前記再生空間が自動車の室内であってもよい。また再生空間は具体的には例えば車室内であることが好適である。
【００１２】
また本発明は、第１の再生空間で音質を調整した際の第１のイコライザ特性と、前記第１の再生空間に対応する識別情報とを記録媒体に保存し、第２の再生空間で前記記録媒体からデータを読み出す際に、前記識別情報から、該識別情報に対応する前記第１の再生空間を識別し、該第１の再生空間に応じた第１の音場特性から、前記第２の再生空間に応じた第２の音場特性を差分して差分音場特性を算出するとともに、該差分音場特性と前記第１のイコライザ特性とを合成して第２のイコライザ特性を算出し、該第２のイコライザ特性で音質の補正を行うことを特徴とするオーディオ装置の音質補正方法である。
【００１３】
また本発明は、第１の再生空間で音質を調整した際の第１のイコライザ特性と、前記第１の再生空間に応じた音場特性とからなるリファレンス特性を記録媒体に保存し、第２の再生空間で前記記録媒体からデータを読み出す際に、前記リファレンス特性から、前記第２の再生空間に応じた第２の音場特性を差分して第２のイコライザ特性を算出し、該第２のイコライザ特性で音質の補正を行うことを特徴とするオーディオ装置の音質補正方法である。
【発明の効果】
【００１４】
本発明によれば、ある再生空間で得た聴感特性を、異なる再生空間で自動的に再現できるオーディオ装置及びオーディオ装置の音質補正方法を提供できる。
【発明を実施するための最良の形態】
【００１５】
以下、本発明を実施するための最良の形態を図面と共に詳細に説明する。
【実施例１】
【００１６】
図１は車載用オーディオ装置（以下、単にオーディオ装置と称す）１００Ａの構成を示すブロック図である。オーディオ装置１００Ａは、ヘッドユニット３０と再生装置５０とを有して構成されている。ヘッドユニット３０は、再生装置５０の作動をヘッドユニット３０に接続された他の装置の作動とともに統合的に制御するための構成であり、具体的にはシステムコントローラ３１が係る制御を行うための構成となっている。なお、例えばデジタルオーディオ放送受信機やＣＤチェンジャやＤＶＤオーディオプレーヤ等を他の装置としてヘッドユニット３０に接続することができる。また、システムコントローラ３１にはユーザの操作に応じた命令をシステムコントローラ３１に送るためのＧＵＩ（Graphical User Interface）制御部４０が接続されている。ヘッドユニット３０は内部にアンプ３３を備えている。アンプ３３には再生装置５０と他の装置からのオーディオ信号が選択的に入力され、入力されたオーディオ信号はアンプ３３を介してスピーカ６０から出力される。またヘッドユニット３０は記憶部（記憶手段）３２を備えており、記憶部３２には後述する車種ＩＤが格納されている。なお、本実施例ではヘッドユニット３０が記憶部３２を備えているが、再生装置５０が記憶部３２を備えてもよい。
【００１７】
ヘッドユニット３０には再生装置５０が接続されている。再生装置５０は、ＭＰ３形式等のデータ圧縮技術によって圧縮され、携帯オーディオ機器、メモリカード又はＣＤ−Ｒ等の記録媒体１０に記録されているオーディオデータを再生するための構成である。再生装置５０は、アクセス制御部５１、データ抽出部５２、再生制御部５６及び操作部５５により構成される制御系と、デコーダ５７、音質調整部５８、Ｄ／Ａ変換部５９及びスピーカ６０により構成されるオーディオ信号系とを有して構されている。
【００１８】
記録媒体１０には、他の車の車室内（第１の再生空間）で音質を調整した際のＥＱ設定（第１のイコライザ特性）と、その車の車種に応じた車種ＩＤ（識別情報）とが保存されている。本実施例では車種ＩＤは車のタイプ別に設定されている。具体的には車種ＩＤは、軽自動車、コンパクトカー、ミニバンなどといったタイプ別に大まかに設定されている。但しこれに限られず、例えば車名毎に車種ＩＤを設定してもよく、車名に加えてさらにグレード別に車種ＩＤを設定してもよい。これにより、ＥＱ設定が行われた車室内の音場特性をより正確に把握できるようになる。なお、ＥＱ設定と車種ＩＤとは楽曲毎に保存されてもよく、記録媒体１０毎に保存されてもよい。また本実施例では車種ＩＤに対応した複数の音場特性（第１及び第２の音場特性）が記録媒体１０に格納されている。これら音場特性は例えばパソコンなどを利用してインターネット経由で配布Ｗｅｂサイトから入手できるようにすることができる。
【００１９】
アクセス制御部（読み取り手段）５１は、再生制御部５６からの命令に基づいて、携帯オーディオ機器、メモリカード又はＣＤ−Ｒ等の記録媒体１０に記録されているデータを読み出す。データ抽出部５２は、アクセス制御部５１によって読み出されたデータからＥＱ設定及び車種ＩＤを抽出する。データ抽出部５２は抽出した車種ＩＤを車種ＩＤ識別部（識別手段）５３に送るとともに、抽出したＥＱ設定をＥＱ設定算出部（イコライザ特性算出手段）５４に送る。車種ＩＤ識別部５３は、車種ＩＤに対応する車種を識別する。識別した車種の情報は再生制御部５６に送られ、再生制御部５６の制御のもとアクセス制御部５１は、車種ＩＤ識別部５３が識別した車種に応じた音場特性（第１の音場特性）と自車に応じた音場特性（第２の音場特性）とを記録媒体１０から読み取り、データ抽出部５２を介してＥＱ設定算出部５４に送る。ＥＱ設定算出部５４は、第１の音場特性から第２の音場特性を差分して差分音場特性を算出するとともに、差分音場特性とデータ抽出部５２が抽出したＥＱ設定とを合成して新たなＥＱ設定（第２のイコライザ特性）を算出する。さらにＥＱ設定算出部５４は、算出した新たなＥＱ設定を再生制御部５６に送る。
【００２０】
操作部５５は、ユーザ操作に応じた命令を再生制御部５６に送る。再生制御部５６は、システムコントローラ３１を介してＧＵＩ制御部４０から送られてきた命令や、操作部５５から送られてきた命令に応じてアクセス制御部５１やデータ抽出部５２を制御したり、ＥＱ設定算出部５４から送られてきた新たなＥＱ設定を音質調整部５８に送るなどの処理を実行する。また、再生制御部５６は、ユーザが行ったＥＱ設定をシステムコントローラ３１を介して記憶部３２に格納する。記録媒体１０が書き込み可能な媒体である場合、記憶部３２に格納された車種ＩＤとＥＱ設定は、ユーザ操作によって記録媒体１０に保存できる。このとき記憶部３２に格納されたこれらの情報はシステムコントローラ３１を介して再生制御部５６に読み込まれ、アクセス制御部５１は再生制御部５６の制御のもと、再生制御部５６に読み込まれたこれらの情報を記録媒体１０に書き込む。なお、ユーザ操作によらず、自動で車種ＩＤとＥＱ設定を記録媒体１０に保存するようにしてもよい。デコーダ５７は、記録媒体１０から読み出された圧縮オーディオ信号を伸長処理し、デジタルオーディオ信号として出力する。
【００２１】
音質調整部５８はＤＳＰ（Digital Signal Processor）により構成され、周波数分解部５８ａ、混合器５８ｂ，５８ｃ，５８ｆ、レベル相関補正部５８ｄ、時間（位相）相関補正部５８ｅ及び周波数結合部５８ｇを有している。周波数分解部５８ａはデジタルオーディオ信号を例えば高速フーリエ変換して、時間領域の信号を周波数領域の信号に変換する。レベル相関補正部５８ｄ、時間相関補正部５８ｅ及び混合器５８ｂ，５８ｃ，５８ｆは、再生制御部５６から送られてくる新たなＥＱ設定に基づいて、周波数領域の信号に対し、周波数帯毎の相対的なレベルの補正（周波数帯毎のレベルの補正）及び相対的な位相の補正（周波数帯毎の遅延時間の補正）を行う。補正された信号は、周波数結合部５８ｇで時間領域の信号に変換されて、音質調整部５８から出力される。Ｄ／Ａ変換器５９は、音質調整部５８から出力されたデジタルオーディオ信号をアナログのオーディオ信号に変換し、変換されたオーディオ信号はアンプ３３を介してスピーカ６０から出力される。
【００２２】
図２は本実施例に係るオーディオ装置１００Ａの音質補正方法を模式的に示す図である。図２において、オーディオ装置１００Ａは車種Ａ及びＢの車に夫々搭載されている。ユーザは車種Ａの車で好みの音質になるようにＥＱ設定する。このＥＱ設定はヘッドユニット３０の記憶部３２に格納される。記憶部３２に格納された車種ＩＤ「Ａ」とＥＱ設定は、ユーザ操作のもと携帯オーディオ機器の記録媒体１０に保存される。また携帯オーディオ機器の記録媒体１０には予め車種ＩＤに応じた複数の音場特性が保存されている。
【００２３】
次に車種Ｂの車を運転する際に、ユーザはこの車に搭載されているオーディオ装置１００Ａに携帯オーディオ機器を接続して利用する。この際、車種ＩＤが携帯オーディオ機器の記録媒体１０から読み込まれ、記録媒体１０に格納されている車種ＩＤが「Ａ」である、と識別される。同時に記録媒体１０からＥＱ設定が読み込まれるとともに、さらに車種ＩＤ「Ａ」に対応する音場特性と、自車の車種ＩＤ「Ｂ」に対応する音場特性とが記録媒体１０から読み込まれる。これらＥＱ設定、車種ＩＤ「Ａ」に対応する音場特性及び車種ＩＤ「Ｂ」に対応する音場特性が読み込まれた後、車種ＩＤ「Ａ」に対応する音場特性から、車種ＩＤ「Ｂ」に対応する音場特性を差分して差分音場特性が算出されるとともに、差分音場特性とＥＱ設定とが合成されて新たなＥＱ設定が算出される。これによりスピーカ６０からは新たなＥＱ設定で音質調整された音が出力される。
【００２４】
上記図２は、例えばユーザが車種Ａに対応するコンパクトカーを通勤用に所有し、車種Ｂに対応するミニバンを週末に家族で使用するために所有している場合などに対応する。この場合、ユーザは通勤用の車で一度ＥＱ設定を行えば、週末に携帯オーディオ機器を持って家族とミニバンに乗り込んだ場合にも、同様な聴感特性で音楽を楽しむことができる。すなわち、ユーザは煩わしい音質調整を改めて行うことなく、車種Ｂの車室内で車種Ａの車室内で音楽を聴いているときと同様の聴感特性を得ることができ、これにより利便性が向上する。以上により、ある再生空間で得た聴感特性を、異なる再生空間で自動的に再現できるオーディオ装置１００Ａ及びオーディオ装置１００Ａの音質補正方法を実現できる。
【実施例２】
【００２５】
本実施例に係るオーディオ装置１００Ｂは、リファレンス特性が格納された記録媒体１０を再生する点で、実施例１に係るオーディオ装置１００Ａと異なるものになっている。リファレンス特性は、自車に応じた音場特性とユーザが設定したＥＱ設定とで形成される。オーディオ装置１００Ｂａは記憶部３２に自車に応じた音場特性を格納しており、このためオーディオ装置１００Ｂａでは記憶部３２にリファレンス特性が格納された状態となる。したがってオーディオ装置１００Ｂａではユーザ操作のもと、リファレンス特性が記憶媒体１０に保存される。
【００２６】
そしてある車でリファレンス特性が保存された記録媒体１０を別の車種の車に搭載されたオーディオ装置１００Ｂａで再生する場合、オーディオ装置１００Ｂａでは、データ抽出部５２はアクセス制御部５１によって読み出されたデータからリファレンス特性を抽出し、抽出したリファレンス特性をＥＱ設定算出部５４に送るように機能する。このとき車種ＩＤ識別部５３は不要となる。また再生制御部５６は、自車に応じた音場特性（第２の音場特性）をシステムコントローラ３１を介して記憶部３２から読み取り、ＥＱ設定算出部５４に送るように機能する。ＥＱ設定算出部５４は、リファレンス特性から第２の音場特性を差分して新たなＥＱ設定（第２のイコライザ特性）を算出し、再生制御部５６に送るように機能する。さらに再生制御部５６は新たなＥＱ設定を音質調整部５８に送る。
【００２７】
一方、自車に応じた音場特性が記憶部３２に格納されていないオーディオ装置１００Ｂｂでも、リファレンス特性が保存された記録媒体１０を再生することができる。この場合、オーディオ装置１００Ｂｂでは、データ抽出部５２はアクセス制御部５１によって読み出されたデータからリファレンス特性を抽出して、抽出したリファレンス特性をＥＱ設定算出部５４に送るように機能する。このとき車種ＩＤ識別部５３は同様に不要となる。またアクセス制御部５１は再生制御部５６の制御のもと、自車に応じた音場特性（第２の音場特性）を記録媒体１０から読み取り、データ抽出部５２を介してＥＱ設定算出部５４に送るように機能する。すなわちこの場合には車種ＩＤに応じた複数の音場特性を記録媒体１０に予め保存しておく必要がある。ＥＱ設定算出部５４は、リファレンス特性から第２の音場特性を差分して新たなＥＱ設定（第２のイコライザ特性）を算出し、再生制御部５６に送るように機能する。さらに再生制御部５６は新たなＥＱ設定を音質調整部５８に送る。
【００２８】
図３は本実施例に係るオーディオ装置１００Ｂの音質補正方法を模式的に示す図である。なお、図３では車種Ａの車がオーディオ装置１００Ｂａを搭載し、車種Ｂの車がオーディオ装置１００Ｂｂを搭載している場合のオーディオ装置１００Ｂの音質補正方法を示している。ユーザは車種Ａの車で好みの音質になるようにＥＱ設定する。このＥＱ設定は自車に応じた音場特性とともにリファレンス特性としてヘッドユニット３０の記憶部３２に格納される。記憶部３２に格納されたリファレンス特性は、ユーザ操作のもと携帯オーディオ機器の記録媒体１０に保存される。また携帯オーディオ機器の記録媒体１０には予め車種ＩＤに応じた複数の音場特性が保存されている。
【００２９】
次に車種Ｂの車を運転する際に、ユーザはこの車に搭載されているオーディオ装置１００Ｂｂに携帯オーディオ機器を接続して利用する。この際、記録媒体１０からリファレンス特性が読み込まれるとともに、さらに自車の車種ＩＤ「Ｂ」に対応する音場特性が記録媒体１０から読み込まれる。これらリファレンス特性及び車種ＩＤ「Ｂ」に対応する音場特性が読み込まれた後、リファレンス特性から車種ＩＤ「Ｂ」に対応する音場特性を差分して新たなＥＱ設定が算出される。これによりスピーカ６０からは新たなＥＱ設定で音質調整された音が出力される。以上により、ある再生空間で得た聴感特性を、異なる再生空間で自動的に再現できるオーディオ装置１００Ｂ及びオーディオ装置１００Ｂの音質補正方法を実現できる。
【００３０】
上述した実施例は本発明の好適な実施の例である。但し、これに限定されるものではなく、本発明の要旨を逸脱しない範囲内において種々変形実施可能である。
【図面の簡単な説明】
【００３１】
【図１】オーディオ装置１００Ａの構成を示すブロック図である。
【図２】オーディオ装置１００Ａの音質補正方法を模式的に示す図である。
【図３】オーディオ装置１００Ｂの音質補正方法を模式的に示す図である。
【符号の説明】
【００３２】
１０  記録媒体
３０  ヘッドユニット
３２  記憶部
４０  ＧＵＩ制御部
５０  再生装置
５４  ＥＱ設定算出部
６０  スピーカ
１００  オーディオ装置
【図１】
2008078955.tif 000003
【図２】
2008078955.tif 000004
【図３】
2008078955.tif 000005